(57)【特許請求の範囲】
【請求項１】
呼吸状態の把握を可能にする呼吸回数認識手段と、
前記呼吸回数認識手段により把握された呼吸状態に基づいて設定される所定サンプリング時間でサンプリングした加速度脈波を求める加速度脈波検出手段と、
を備え、
前記呼吸回数認識手段は、
呼吸状態を検出する呼吸検出部と、
加速度脈波のサンプリング開始を指示可能な測定開始スイッチと、
前記測定開始スイッチによる加速度脈波のサンプリング開始の指示に基づき加速度脈波のサンプリングの開始を指示するとともに、整数回の呼吸周期に渡って加速度脈波がサンプリングされるように指示する脈波取込判断手段と、
を有する
ことを特徴とする脈波検出装置。
【請求項２】
呼吸状態の把握を可能にする呼吸回数認識手段と、
前記呼吸回数認識手段により把握された呼吸状態に基づいて設定される所定サンプリング時間でサンプリングした加速度脈波を求める加速度脈波検出手段と、
を備え、
前記呼吸回数認識手段は、
呼吸状態を検出する呼吸検出部と、
整数回の呼吸周期に渡って加速度脈波がサンプリングされるように、前記呼吸検出部による検出信号に基づき加速度脈波のサンプリングの開始及び終了を指示する脈波取込判断手段と、
を有する
ことを特徴とする脈波検出装置。
【請求項３】
前記所定サンプリング時間は、８秒以上１２秒以下の時間であることを特徴とする請求項１または２に記載の脈波検出装置。
【発明の詳細な説明】
【０００１】
【発明の属する技術分野】
本発明は、医療分野や健康管理分野などで医用電子機器として使用される脈波検出装置に関する。
【０００２】
【従来の技術】
脈波とは心臓の収縮により大動脈に押し出された時発生する血管内の圧力変化が抹消方向に伝達する時の波動のことである。従来の脈波検出装置は、光電式や圧電式のセンサにより測定開始から一定の時間サンプリングをして脈波を測定し、脈波の結果を波形図やＡＰＧインデックス（加速度脈波加齢値）などで表示するものであった。測定開始から一定のサンプリング時間としては、繰り返して測定しても測定結果に生じるばらつきを少なくするようにサンプリング数を多くとるようにし、一般には３０秒程度に設定される。
【０００３】
【発明が解決しようとする課題】
従来の脈波検出装置においては、サンプリング時間が測定開始から機械的に一定に設定されていたので、設定したサンプリング時間内に含まれる呼吸回数にばらつきが生じ、この結果測定結果にばらつきが生じ、この測定ばらつきを小さくするためには測定時間を長く取る必要がある、という問題があった。
【０００４】
また、測定ばらつきを小さくするためには測定時間を長く取りサンプリング数を多くとる必要があったので、サンプリングデータを記憶する記憶容量を大きくする必要があり、製品コストが高くなるという問題があった。
【０００５】
そこで、本発明の目的は、上記従来技術の有する問題を解消し、短時間（約１０秒前後）のサンプリング時間で繰り返して測定してもばらつきが少ない測定結果が得られ、サンプリングするデータを記憶する記憶容量が小さいもので足り製品コストの軽減を図った脈波検出装置を提供することである。
【０００６】
【課題を解決するための手段】
本発明は、ＡＰＧインデックスの測定結果のばらつきの程度は、サンプリング時間と脈波のリズムとの関係に依存して特異的な性格を有し、サンプリング時間内に含まれると脈波の個数が一定になるようにサンプリングすることによりＡＰＧインデックスの測定結果のばらつきが小さくなる、という本発明者による知見に基づきなされたものである。本発明者は、呼吸の測定を開始してから呼吸の１周期（例えば、息の吸い始めから吐き終わりまでの時間）の整数回分の時間が約１０秒前後（８秒から１２秒までの間）となるところを区切りとしてサンプリングすると、脈波（ＡＰＧインデックス）のばらつきが少なくなることに注目したのである。
【０００７】
上記目的を達成するために、本発明の脈波検出装置は、呼吸状態の把握を可能にする呼吸回数認識手段と、前記呼吸回数認識手段により把握された呼吸状態に基づいて設定される所定サンプリング時間でサンプリングした加速度脈波を求める加速度脈波検出手段と、を備えることを特徴とする。呼吸回数認識手段によりサンプリング時間内の呼吸回数が一定になるようにして、加速度脈波検出手段によって加速度脈波を求める。
【０００８】
また、前記呼吸回数認識手段は、加速度脈波のサンプリング開始を指示可能な測定開始スイッチと、加速度脈波のサンプリング終了を指示可能な測定終了スイッチと、前記測定開始スイッチと前記測定終了スイッチとで指示される前記所定サンプリング時間に渡って加速度脈波のサンプリングを指示する脈波取込判断手段と、を有することを特徴とする。被計測者が自己の肉体的な認識に基づいて測定開始スイッチによって呼吸数を計数開始し測定終了スイッチによって計数終了を指示し、測定開始スイッチと測定終了スイッチとで指示される一定の呼吸回数の時間に渡って加速度脈波のサンプリングが行われる。
【０００９】
また、前記呼吸回数認識手段は、呼吸状態を検出する呼吸検出部と、加速度脈波のサンプリング開始を指示可能な測定開始スイッチと、前記測定開始スイッチによる加速度脈波のサンプリング開始の指示に基づき加速度脈波のサンプリングの開始を指示するとともに、整数回の呼吸周期に渡って加速度脈波がサンプリングされるように指示する脈波取込判断手段と、を有することを特徴とする。加速度脈波のサンプリングの開始は測定開始スイッチによって指示され、加速度脈波のサンプリングの終了は呼吸検出部の検出信号に基づき自動的に行われる。
【００１０】
また、前記呼吸回数認識手段は、呼吸状態を検出する呼吸検出部と、整数回の呼吸周期に渡って加速度脈波がサンプリングされるように、前記呼吸検出部による検出信号に基づき加速度脈波のサンプリングの開始及び終了を指示する脈波取込判断手段と、を有することを特徴とする。加速度脈波のサンプリングの開始及び終了が自動的に指示され、また、所定サンプリング時間内に整数回の呼吸周期が計数不能のサンプリングデータを除去することが可能になる。
【００１１】
また、前記所定サンプリング時間は、８秒以上１２秒以下の時間であることを特徴とする。
【００１２】
本発明によれば、サンプリング時間内に含まれると脈波の個数が一定になるようにサンプリングすることにより、短いサンプリング時間と少ないサンプリングデータでＡＰＧインデックスの測定結果のばらつきを小さくすることができ、また、データの記憶容量を小さいもので足りるようにできる。
【００１３】
【発明の実施の形態】
以下に、図面を参照して、本発明の実施の形態について説明する。
まず、図１を参照して、ＡＰＧインデックスのばらつきと脈波のサンプリング時間と呼吸リズムとの関係について説明する。通常、ＡＰＧインデックスのばらつきとサンプリング時間との関係において、図１のＢに示すように、脈波の測定はサンプリング時間を長くとりサンプリング数を多くすればするほど測定結果におけるばらつきが小さくなる。
【００１４】
また、本願発明の発明者による知見によれば、ＡＰＧインデックスの測定結果のばらつきの程度は、サンプリング時間と脈波のリズムとの関係に依存して特異的な性格を有し、呼吸周期の整数回数が所定時間内に入るようにサンプリングすることによりＡＰＧインデックスの測定結果のばらつきが小さくなる、ことが明らかになっている。これによれば、サンプリング時間の長さをそれ程長くしない場合にあっても、呼吸周期の整数回数が所定時間内に入るようにサンプリングすることによりＡＰＧインデックスの測定結果のばらつきが小さくすることができる。
【００１５】
図１にＡで示すように、呼吸リズムには種々の呼吸リズムのパターン（ａ）、（ｂ）、（ｃ）、（ｄ）、（ｅ）がある。呼吸リズムのパターン（ａ）、（ｂ）、（ｃ）、（ｄ）、（ｅ）において、呼吸のリズムの波形の上昇過程は息を吸っているとき、下降過程は息を吐き出しているときを示している。また、呼吸のリズム（ａ）、（ｂ）、（ｃ）、（ｄ）、（ｅ）の内容は、次のようなものである。呼吸リズム（ａ）は、一定の周期で呼吸をして、３周期終了時点が約８．５秒である。呼吸のリズム（ｂ）は、一定の周期で呼吸をして、３周期終了時点が約９．５秒である。呼吸のリズム（ｃ）は、一定の周期で３周期まで早く呼吸をして、１周期をゆっくりと呼吸をして、合計４周期終了時点が約１０秒である。呼吸のリズム（ｄ）は、一定の周期で呼吸をして、３周期終了時点が約１０秒であるが、サンプリング開始時期は、他のリズム例とは異なる。呼吸のリズム（ｅ）は、呼吸のＮ周期の終了時点が約１０秒前後（８から１２秒までの間）で終了していない。
【００１６】
このように、例えば息の吸い始めから吐き終わりまでを呼吸の１周期とすると、サンプリング時間を８秒から１２秒までの間の約１０秒前後とした場合に、呼吸のリズム（ａ）、（ｂ）、（ｃ）、（ｄ）は、呼吸の測定を開始してから呼吸の１周期の整数回分の時間が８秒から１２秒までのサンプリング時間に含まれるように呼吸をした場合を示す。呼吸のリズム（ａ）、（ｂ）、（ｃ）、（ｄ）における場合には、ＡＰＧインデックスのばらつきを小さくすることができる。
【００１７】
また、呼吸のリズム（ｅ）は、呼吸の測定を開始してから呼吸の１周期の整数回分の時間が８秒から１２秒までのサンプリング時間に含まれず、はみ出た場合を示す。呼吸のリズム（ｅ）は、例えば、被測定者が呼吸の１周期の整数回分の時間が８秒から１２秒までのサンプリング時間に含まれるように呼吸できなかった場合に対応する。
【００１８】
図１にＢで示すように、呼吸のリズム（ａ）、（ｂ）、（ｃ）、（ｄ）のように測定を開始してから呼吸の１周期の整数回分の時間が８秒から１２秒までのサンプリング時間に含まれるように呼吸を行い、脈波のサンプリングデータを収集することによって、ＡＰＧインデックスのばらつきを小さくするものである。本発明は、このような本願発明者の知見によるものである。
【００１９】
以下に、本発明の具体的な実施の形態について説明する。
図７に示すように、脈波検出装置は、装置本体１と、センサ部３と、装置本体１とセンサ部３とを接続する導線４とを有する。センサ部３は、サック状に形成され手の指５に装着して使用される。また、センサ部３は、例えば、ＬＥＤ光を指や耳たぶの計測部位の血管に照射し、フォトダイオードやフォトトランジスタで受光し、この受光量の変化により脈波を測定するといった従来から普及している光電式タイプでもよく、あるいは、動脈上に圧電センサを押し付けて圧力変化を検出する圧電式タイプを用いてもよい。
【００２０】
装置本体１の表面部には、データ入力モードの切り替えや電源投入等のためのスイッチ部６と計測結果等の表示をする表示部７とが設けられている。なお、図７に示す例は、一例であり、これ以外の他の構成でもよく、例えば、センサ部３を耳たぶに装着し装置本体１を手首に装着するようなタイプでもよく、また、センサ部３を血圧計のようなカフで腕に巻くようなタイプでもよい。
【００２１】
次に、図２に、本発明の第１実施形態に係る脈波検出装置のブロック図を示す。脈波検出装置は、所定サンプリング時間でサンプリングした一連の複数の基本脈波を２回微分し一連の複数の加速度脈波を求める加速度脈波検出手段１０を備え、加速度脈波検出手段１０は、ＬＥＤ等の発光部とフォトダイオード又はフォトトランジスタ等からなる受光部を備え心臓の拍動による血流量の増減を光の透過量や散乱光量の変化により一連の基本脈波を検出するセンサ部３と、センサ部３からのアナログ信号を増幅する増幅回路２２と、増幅回路２２からの基本脈波のアナログ信号を２回微分して加速度脈波信号に変換する２段に接続された微分回路２３，２４と、微分回路２４からのアナログ信号をデジタル信号に変換するＡ／Ｄ変換回路２５を有する。
【００２２】
図８（ａ）に１個の基本脈波１０１の波形の一例を示し、図８（ｂ）に基本脈波１０１を２回微分して得られた加速度脈波１０２の波形を示す。加速度脈波に対し、後述するように基線Ｌから変曲点までの大きさａ，ｂ，ｃ，ｄが算出され、ＡＰＧインデックスが算出される。
【００２３】
Ａ／Ｄ変換回路２５では、所定サンプリング時間、１０秒前後の時間に渡ってサンプリングした複数の加速度脈波から構成される図３に示すような加速度脈波信号が得られる。
【００２４】
脈波検出装置は、また、加速度脈波検出手段１０で検出した加速度脈波に対し各種制御処理をするＣＰＵ１１と、データを記憶する記憶部１２と、ブザー１３と、スイッチ部６と、計測結果等の表示をする表示部７を有する。
【００２５】
ＣＰＵ１１は、脈波取込判断手段２６と、加速度脈波算出手段１９とを有する。脈波取込判断手段２６は、スイッチ部６等から送られる信号を参照し呼吸回数が呼吸周期の整数回に達したか否かを判断する。加速度脈波算出手段１９は、加速度脈波検出手段１０で得た検出信号に基づいて後述する式に従って加速度脈波を算出する。
【００２６】
スイッチ部６は、被計測者が呼吸数をカウントし始める時に自己の肉体的な認識に基づいてオンにする測定開始スイッチ２７と、被測定者が呼吸数をカウントし終わる時に自己の肉体的な認識に基づいてオンにする測定終了スイッチ２８を有する。なお、測定開始スイッチ２７と測定終了スイッチ２８とは共通に用いてもよい。
【００２７】
本実施形態においては、呼吸回数認識手段９は、測定開始スイッチ２７と測定終了スイッチ２８と脈波取込判断手段２６とから構成されている。
【００２８】
図１に示す呼吸リズムの（ａ）、（ｂ）、（ｃ）、（ｄ）における場合のように、被測定者は、測定開始スイッチ２７をオンにした後、呼吸の１周期（例えば、息の吸い始めから吐き終わりまで）の整数回が約１０秒前後（８秒から１２秒までの間）となるように呼吸をし、測定終了スイッチ２８をオンにする。これにより、脈波取込判断手段２６は、呼吸の１周期の整数回に相当するサンプリング時間に渡ってＡ／Ｄ変換回路２５からの信号が記憶部１２へ取り込まれるように指示する。これによって、加速度脈波検出手段１０は、測定開始スイッチ２７がオンしてから測定終了スイッチ２８がオンするまでの所定サンプリング時間に渡って加速度脈波をサンプリング測定する。次に、加速度脈波算出手段１９は、サンプリング時間に渡って検出された加速度脈波から、ＡＰＧインデックスを算出する。
【００２９】
また、ブザー１３は測定開始から秒数がどのくらい経過したかを知らせる。測定開始から８秒経過した時にブザー１３が１回鳴り、１２秒経過した時に２回鳴る。これにより、被測定者は、ブザー１３の１回目の音により測定開始から８秒経過したことを知り、次の１２秒までの残る４秒内に１回呼吸すればよいと認識し測定終了スイッチ２８をオンにするタイミングを図ることができ、また、ブザー１３の２回目の音により測定が完全に終了したことを認識することができる。
【００３０】
次に、図４を参照して、加速度脈波の測定処理手順を説明する。
まず、ＳＴ１で測定開始スイッチ２７がオンされると、ＳＴ２において脈波取込判断手段２６の指示により測定を開始する。ＳＴ３において、Ａ／Ｄ変換回路２５から図３に示すような加速度脈波信号がＣＰＵ１１を経て記憶部１２へ取り込まれる。図３に示すサンプリングした複数の加速度脈波において、基線Ｌからの各変曲点までの大きさａ１〜ｄ１、ａ２〜ｄ２、ａ３〜ｄ３、ａｎ〜ｄｎが示されている。
【００３１】
次に、ＳＴ４において、測定終了スイッチ２８がオンされたか否かが判断され、オンでない場合にはＳＴ２へ戻り、オンの場合は脈波取込判断手段２６によりＡ／Ｄ変換回路２５からの信号の取り込みをやめる。記憶部１２には、測定開始スイッチ２７がオンされ測定終了スイッチ２８がオンされるまでにサンプリングされる脈波の各変曲点、すなわち図３においてａ１、ｂ１、ｃ１、ｄ１からａｎ、ｂｎ、ｃｎ、ｄｎまでのデータが記憶される。
【００３２】
次に、ＳＴ５において、加速度脈波算出手段１９により、先に記憶部１２に記憶した脈波の各変曲点の出力ａ１、ｂ１、ｃ１、ｄ１・・・ａｎ、ｂｎ、ｃｎ、ｄｎを参照し、各波形の同じポイントの変曲点の大きさ同士の各々ａ１〜ａｎ、ｂ１〜ｂｎ、ｃ１〜ｃｎ、ｄ１〜ｄｎを平均した値ａバー、ｂバー、ｃバー、ｄバーを式（１）乃至式（４）に従って求める。さらに、ＳＴ６において、加速度脈波算出手段１９により、ＡＰＧインデックの平均値として、式（５）に従って、ＡＰＧインデックスバーを計算する。
【００３３】
【数１】
0003819224.tif 000002
そして、ＳＴ７において、上記結果が表示部７に出力される。表示部７ではＡＰＧインデックスバーだけでなく加速度脈波の波形図も表示することが可能である。
【００３４】
本実施の形態によれば、脈波検出装置は呼吸回数認識手段９を備えているので、サンプリング時間内に含まれる呼吸回数にばらつきが生じないようにすることができる。この結果、サンプリング時間を長くとらなくとも測定結果にばらつきが生じないようにすることができ、サンプリングするデータの個数を少なくすることができる。この結果、通常設定される約３０秒以上のサンプリング時間に比べて１０秒前後と短く設定することができ、測定時間を短くすることができ、例えば、集団検診などのときには特に有効なものである。
【００３５】
また、サンプリングするデータの個数を少なくしても測定結果にばらつきが生じないので、記憶部１２の記憶容量を小さくすることができ、製品コストの軽減を図ることができる。
【００３６】
また、呼吸回数認識手段９を測定開始スイッチ２７と測定終了スイッチ２８と脈波取込判断手段２６とによって構成したので、呼吸回数認識手段９を簡易な構成にすることができ、サンプリング時間内に含まれる呼吸回数がばらつかないようにして脈波検出を行うことができ、製品コストの軽減を図ることができる。
【００３７】
次に、図５及び図６を参照して、本発明の第２実施形態に係る脈波検出装置について説明する。
図５は、第２実施形態に係る脈波検出装置のブロック図であり、呼吸回数認識手段４０の構成が第１実施形態の呼吸回数認識手段９と異なる。呼吸回数認識手段４０は、呼吸を検知する呼吸検知部４１と、測定開始スイッチ２７と、脈波取込判断手段２６とによって構成されている。
【００３８】
呼吸検知部４１は、口や胸部や腹部などに装着して呼吸を検出する呼吸センサ４３と、呼吸センサ４３の検出信号を増幅する増幅回路４４と、増幅回路４４の出力信号をＡ／Ｄ変換するＡ／Ｄ変換回路４５とから構成されている。呼吸センサ４３は圧力センサ等からなり、呼吸に伴う身体の伸縮を電気抵抗の変化に基づく波形信号として検出する。この波形信号は、Ａ／Ｄ変換回路４５でＡ／Ｄ変換され、ＣＰＵ１１へ送られる。
【００３９】
被測定者は、測定開始スイッチ２７をオンにした後、図１に示す呼吸リズムの（ａ）、（ｂ）、（ｃ）、（ｄ）における場合のように呼吸する。ＣＰＵ１１における脈波取込判断手段２６は、呼吸検出部４１からの波形信号から呼吸の状態を把握し、呼吸の１周期（例えば、息の吸い始めから吐き終わりまで）の整数回が約１０秒前後（８秒から１２秒までの間）になると、自動的に測定を終了するように指示する。このように、脈波取込判断手段２６は、呼吸検出部４１によって呼吸が計測されている時間、すなわち呼吸の１周期の整数回に相当するサンプリング時間に渡ってＡ／Ｄ変換回路２５からの信号が記憶部１２へ取り込まれるように指示する。加速度脈波算出手段１９は、サンプリング時間に渡って検出された加速度脈波から、ＡＰＧインデックスを算出する。また、ブザー１３は測定開始から秒数がどのくらい経過したかを知らせ、測定開始から８秒経過した時にブザー１３が１回鳴り、１２秒経過した時に２回鳴る。
【００４０】
次に、図６を参照して、本実施形態の加速度脈波の測定処理手順を説明する。
【００４１】
まず、ＳＴ１で測定開始スイッチ２７がオンされると、ＳＴ２において脈波取込判断手段２６の指示により測定を開始する。ＳＴ３において、Ａ／Ｄ変換回路２５から図３に示すような加速度脈波信号がＣＰＵ１１を経て記憶部１２へ取り込まれる。
【００４２】
次に、ＳＴ１４において、ＣＰＵ１１における脈波取込判断手段２６によって呼吸が１周期終了したか否かが判断され、１周期終了していなければ（ＮＯの場合）脈波の測定が加速度脈波検出手段１０において継続して行われる。また、ＳＴ１４において１周期終了している（ＹＥＳの場合）と判断されると、ＳＴ１５において、計測を開始してから８秒から１２秒の間であるか否かが脈波取込判断手段２６によって判断される。ＳＴ１５において、計測を開始してから８秒から１２秒の間でないと判断されると、脈波の測定が加速度脈波検出手段１０において継続して行われる。また、ＳＴ１５において、８秒から１２秒に間であると判断されると、Ａ／Ｄ変換回路２５から記憶部１２への信号の取り込みが終了し、第１の実施形態の場合と同様に、加速度脈波検出手段１９により処理が行われ、結果が表示部７に出力される。
【００４３】
本実施の形態によれば、第１実施形態の場合と同様に、設定したサンプリング時間内に含まれる呼吸回数にばらつきが生じないようにすることができ、サンプリングするデータの個数を少なくすることができる。この結果、サンプリング時間を長くとらなくとも測定結果にばらつきが生じないようにすることができ、測定時間を短くすることができる。
【００４４】
また、第１実施形態の場合と同様に、サンプリングするデータの個数を少なくしても測定結果にばらつきが生じないので、記憶部１２の記憶容量を小さくすることができ、製品コストの軽減を図ることができる。
【００４５】
また、呼吸回数認識手段４０は呼吸検知部４１を有するので、測定開始スイッチ２７をオンにしさえすれば自動的に呼吸回数を計数することができ、また、８秒から１２秒の間という短いサンプリング時間を自動的に設定することが可能になる。この結果、被計測者の負担が軽減されるとともに、被計測者の不注意による測定ミスを防止することができる。
【００４６】
次に、本発明の第３実施形態に係る脈波検出装置について説明する。
第２の実施形態においては、呼吸回数認識手段４０は測定開始スイッチ２７を備えていたが、本実施形態においては、呼吸回数認識手段は測定開始スイッチ２７を備えておらず、呼吸検知部４１と脈波取込判断手段２６とから構成されている。
【００４７】
本実施形態においては、呼吸の測定は、測定終了の指示だけでなく測定開始の指示も、スイッチ部６における電源スイッチと連動して自動的に行われる。
【００４８】
被測定者は、本実施形態に係る脈波検出装置を、次のようにして使用する。まず、装置本体１を身体に装着又はテーブル等に設置し、次に、センサ部３と呼吸センサ４３を所定の位置に装着し、電源スイッチをオンする。電源スイッチをオンにするタイミングはセンサ部３の装着前でもよい。その後は、自動的に計測を開始して終了するまで待てばよい。
【００４９】
ＣＰＵ１１の脈波取込判断手段２６は、呼吸検出部４１からの信号が、例えば所定のレベル範囲にあることをことを検出して呼吸の有無を把握し、測定を開始する。測定開始時にはブザー１３が鳴り、測定段階に入ったことを知らせる。その後は第２の実施形態の場合とほぼ同様に進められる。
【００５０】
但し、本実施形態においては、呼吸の測定は完全に自動的に行われるので、繰り返し測定することは被計測者にとってさほど負担とはならない。そこで、図１に示す呼吸リズム（ｅ）のように、８秒から１２秒の間に呼吸の整数回の周期の区切りとならなかった場合には、サンプリングデータとして採用することなく測定開始後１２秒の時点を新たな開始時点として再度サンプリングをやり直す。これによって、図１に示す呼吸リズム（ｅ）のような場合を、ＡＰＧインデックスの算出に用いるサンプリングデータから排除することができる。呼吸リズム（ｅ）のような場合においては呼吸回数が整数回に定まらないので、脈拍の測定結果のばらつきの要因となっていたのである。
【００５１】
本実施の形態によれば、呼吸の測定が完全に自動的に行われるので、被計測者に負担の負担を軽減することができる。
【００５２】
また、図１に示す呼吸リズム（ｅ）のような場合を、ＡＰＧインデックスの算出に用いるサンプリングデータから排除することができるので、脈拍の測定結果のばらつきをさらに小さくすることができる。
【００５３】
【発明の効果】
以上、本発明の構成によれば、脈波検出装置は呼吸回数認識手段を備えているので、設定したサンプリング時間内に含まれる呼吸回数にばらつきが生じないようにすることができ、サンプリングするデータの個数を少なくすることができ、測定時間を短くすることができる。
【００５４】
また、サンプリングするデータの個数を少なくしても測定結果にばらつきが生じないので、記憶部の記憶容量を小さくすることができ、製品コストの軽減を図ることができる。
【図面の簡単な説明】
【図１】種々の呼吸リズムのパターン（Ａ）（（ａ）、（ｂ）、（ｃ）、（ｄ）、（ｅ））と、ＡＰＧインデックスのばらつきと脈波のサンプリング時間との関係（Ｂ）を示す図。
【図２】本発明に係る脈波検出装置の第１実施形態の概略構成を示すブロック図。
【図３】サンプリングされた一連の複数の加速度脈波を示す波形図。
【図４】本発明に係る脈波検出装置の第１実施形態の測定処理手順を示すフローチャート図。
【図５】本発明に係る脈波検出装置の第２実施形態の概略構成を示すブロック図。
【図６】本発明に係る脈波検出装置の第２実施形態の測定処理手順を示すフローチャート図。
【図７】本発明に係る脈波検出装置の装置構成の概略構成を示す図。
【図８】基本脈波の信号波形を示す図（ａ）と、（ａ）に示す信号波形を２回微分して得られた加速度脈波の信号波形を示す図（ｂ）。
【符号の説明】
１  装置本体
３  センサ部
６  スイッチ部
７  表示部
９  呼吸回数認識手段
１０  加速度脈波検出手段
１１  ＣＰＵ
１２  記憶部
１９  加速度脈波算出手段
２６  脈波取込判断手段
２７  測定開始スイッチ
２８  測定終了スイッチ
４０  呼吸回数認識手段
４１  呼吸検出部
【図１】
0003819224.tif 000003
【図２】
0003819224.tif 000004
【図３】
0003819224.tif 000005
【図４】
0003819224.tif 000006
【図５】
0003819224.tif 000007
【図６】
0003819224.tif 000008
【図７】
0003819224.tif 000009
【図８】
0003819224.tif 000010